(57)【要約】【課題】  個人の生活における物品の格納場所などの管理を容易に行うことができるようにする。【解決手段】  登録する物品の画像を無線携帯端末１のデジタルカメラ２で撮影し、物品に無線情報タグ７を貼り付けると同時に、無線情報タグ７内のＲＦ−ＩＤタグ６の識別情報を無線携帯端末１に搭載されたＲＦ−ＩＤリーダライタ４により読み込み、物品と識別情報とを対応付けるデータベースを作成する。無線携帯端末１はＲＦ−ＩＤタグ６の識別情報を読み込み、データベースを検索し、ＬＣＤ１５１に識別情報と関連付けられた画像データを表示しすることで物品の情報を知る。無線携帯端末１において登録されている画像を特定し、対応付けされた識別情報をＲＦ−ＩＤリーダライタ４から無線情報タグ７へ送信し、無線情報タグ７にあるＬＥＤを点灯し、物品の置かれている場所を特定する。【選択図】  図２
2006228178.tif 000002
【特許請求の範囲】
【請求項１】
電磁波を受信することにより発生された誘起電力に基づいて動作し記録されている識別情報を再生できる無線情報記録素子と、前記無線情報記録素子を備えた無線情報タグと、デジタルカメラ素子を備えた無線通信端末とからなり、前記無線通信端末は前記無線情報記録素子から電磁波を介して通信する無線通信手段をもち前記無線通信手段を利用して前記無線情報記憶素子に記録されている識別情報を取得する取得処理手段と、前記無線情報記録素子から取得した識別情報と前記デジタルカメラ素子により記録した画像情報との対応付けを行う情報処理手段と、前記情報処理手段の処理結果と前記識別情報と前記画像情報とを記録する記録処理手段と前記記録手段の記録情報を第二の通信端末に送受信することができる端末間通信手段とを備えることを特徴とする物品管理補助装置。
【請求項２】
無線通信を介して記憶されている識別情報を再生できる無線情報記録素子と、前記無線情報記録素子を備えた無線情報タグと、デジタルカメラ素子を備えた無線通信端末とからなり、前記無線通信端末は前記無線情報記録素子から電磁波を介して通信する無線通信手段をもち前記無線通信手段を利用して前記無線情報記憶素子に記録されている識別情報を取得する取得処理手段と、前記無線情報記録素子から取得した識別情報と前記デジタルカメラ素子により記録した画像情報との対応付けを行う情報処理手段と前記情報処理手段の処理結果と前記識別情報と前記画像情報とを記録する記録処理手段と、前記記録処理手段の記録情報を第二の通信端末に送受信することができる端末間通信手段とを備えることを特徴とする物品管理補助装置。
【請求項３】
前記無線通信端末に搭載されたカメラにより撮影された画像情報を表示する第一の表示手段と前記画像情報を受け付ける受付処理手段とを備え、前記無線情報記録素子から取得した識別情報と、前記受付処理手段により入力が受け付けられた前記カメラにより撮影された画像情報とを対応付けて前記記録処理手段に記録することを特徴とする請求項１及び請求項２記載の物品管理補助装置。
【請求項４】
前記無線通信端末は前記無線通信手段を介して前記無線情報記憶素子に記録されている識別情報を取得し、前記記録処理手段に記録されている前記識別情報と対応付けされた前記画像情報を読み込み第一の表示手段に表示することを特徴とする請求項１及び請求項２記載の物品管理補助装置。
【請求項５】
前記無線通信端末は前記情報処理手段の処理結果と前記識別情報と前記画像情報を、前記情報処理手段が処理するたびに前記第二の通信端末に送信し、前記第二の通信端末は前記識別情報の降順あるいは昇順に沿って前記画像情報を並べ替える整理手段と前記整理手段の結果を基に前記識別情報と前記画像情報と前記情報処理手段の処理結果を記録する第二の記録処理手段からなることを特徴とする請求項１及び請求項２記載の物品管理補助装置。
【請求項６】
前記無線通信端末は前記記憶処理手段に記憶されている前記画像情報の中から特定の画像情報を前記第一の表示手段に表示し、前記画像情報と対応付けされた前記識別情報を読み込む読み込み手段と、前記無線通信手段を介して前記無線タグから前記無線情報記憶素子に記録されている識別情報を取得し、取得された識別番号が前記読み込み手段に読み込まれた前記画像に対応付けられた識別情報と同一か否かを判定する第一の比較手段と、前記第一の比較手段により同一と判定された場合には一致したことを知らせる第一の一致報知手段を備えることを特徴とする請求項１及び請求項２記載の物品管理補助装置。
【請求項７】
前記無線通信端末は前記記憶処理手段に記憶されている前記画像情報の中から特定の画像情報を前記第一の表示手段に表示し、前記画像情報と対応付けされた前記識別情報を読み込む読み込み手段と、前記無線通信手段を介して前記無線情報記憶素子に記録されている識別情報を取得し、取得された識別番号が前記読み込み手段に読み込まれた前記画像に対応付けられた識別情報と同一か否かを判定する第一の比較手段と、前記第一の比較手段により同一と判定された場合には前記無線通信手段を介して前記一致した識別情報を持つ前記無線情報タグに一致を知らせる一致情報と前記一致した識別情報を送る第二の一致報知手段を持つことを特徴とする請求項１及び請求項２記載の物品管理補助装置。
【請求項８】
前記無線情報タグは前記無線情報記録素子を介して前記第二の一致報知手段から受け取った前記一致信号と前記一致した識別信号を受け、前記無線情報記録素子に記録された識別情報と前記一致した識別情報を比較する第二の比較手段と、前記第二の比較手段により同一と判断されかつ前記一致信号を受信している場合には一致したことを表示する第二の表示手段を持つことを特徴とする請求項１及び請求項２記載の物品管理補助装置。
【発明の詳細な説明】
【技術分野】
【０００１】本発明は、物品の格納場所などを容易に管理可能にする情報処理装置に関する。
【背景技術】
【０００２】近年、通信技術及び半導体技術の発達に伴い、記録された識別情報を非接触に端末に読み込むこと、あるいは端末から識別情報に付帯する情報を記録することができるＲＦ−ＩＤタグの小型化が進み、この応用が進展しているのは周知のとおりである。ＲＦ−ＩＤタグはバーコードと同様の機能を電磁波による無線通信機能と併せることにより比較的広い範囲で識別情報を読み込むことができることが特徴であり、通信端末から出される通信用電磁波を受信し、受信した電磁波により発生した誘起電力を利用して動作するパッシブ型のＲＦ−ＩＤタグが広く利用されるようになってきている。例えば、在庫管理システムでは倉庫あるいはそこの入り口にＲＦ−ＩＤリーダを設置し、入庫あるいは出庫した製品と製品の特性情報をＲＦ−ＩＤタグに記録されている識別番号を基にデータベース化し、入庫と出庫を管理することが行われている。
【発明の開示】
【発明が解決しようとする課題】
【０００３】しかしながら、これらのシステムは業務用に設計されていることから、専用の倉庫と共に管理を行う専用のスタッフがいるのが常であり、個人の生活における物品管理のように、物品を格納する場所が一定でないような場合には同様のシステムを小型化することで対応することは難しいという課題があった。例えば、個人の持つファイルを本棚などにしまう場合、ファイル名と格納場所の詳細なデータベースを整えると同時に、ファイルの出し入れや追加の度に実際の所在地を示すデータベースを修正する必要があり、このためには本棚の各段毎など細かな単位にＲＦ−ＩＤリーダを設置しファイルなどをトレースしなければならないため、データベースシステムへの無線端末あるいは有線による複数接続が必要になる。また、ハンディ型のＲＦ−ＩＤリーダを使った場合にはその無線到達範囲内にファイルが存在することのみがわかるだけである。本発明はこのような状況にかんがみてなされたものであり、個人の生活における物品の格納場所の管理を容易に行うことができるようにしたものである。
【課題を解決するための手段】
【０００４】本発明の物品管理補助装置は、電磁波を受信することにより発生された誘起電力に基づいて動作し記録されている識別情報を再生できる無線情報記録素子と、無線情報記録素子を備えた無線情報タグと、デジタルカメラ素子を備えた無線通信端末とからなり、無線通信端末は無線情報記録素子から電磁波を介して通信する無線通信手段をもち、無線通信手段を利用して無線情報記憶素子に記録されている識別情報を取得する取得処理手段と、無線情報記録素子から取得した識別情報とデジタルカメラ素子により記録した画像情報との対応付けを行う情報処理手段と、情報処理手段の処理結果と識別情報と画像情報とを記録する記録処理手段と記録手段の記録情報を第二の通信端末に送受信することができる端末間通信手段とを備えることを特徴とする。【０００５】また、本発明の物品管理補助装置は、無線通信を介して記憶されている識別情報を再生できる無線情報記録素子と、無線情報記録素子を備えた無線情報タグと、デジタルカメラ素子を備えた無線通信端末とからなり、無線通信端末は無線情報記録素子から電磁波を介して通信する無線通信手段をもち無線通信手段を利用して無線情報記憶素子に記録されている識別情報を取得する取得処理手段と、無線情報記録素子から取得した識別情報とデジタルカメラ素子により記録した画像情報との対応付けを行う情報処理手段と情報処理手段の処理結果と識別情報と画像情報とを記録する記録処理手段と、記録処理手段の記録情報を第二の通信端末に送受信することができる端末間通信手段とを備えることを特徴とする。【０００６】また、本発明の無線通信端末は無線通信手段を介して無線情報記憶素子に記録されている識別情報を取得し、記録処理手段に記録されている識別情報と対応付けされた画像情報を読み込み第一の表示手段に表示することを特徴とする。【０００７】また、本発明の無線通信端末は無線通信手段を介して無線情報記憶素子に記録されている識別情報を取得し、記録処理手段に記録されている識別情報と対応付けされた画像情報を読み込み第一の表示手段に表示することを特徴とする。【０００８】また、本発明の無線通信端末は情報処理手段の処理結果と識別情報と画像情報を、情報処理手段が処理するたびに第二の通信端末に送信し、第二の通信端末は識別情報の降順あるいは昇順に沿って画像情報を並べ替える整理手段と整理手段の結果を基に識別情報と画像情報と情報処理手段の処理結果を記録する第二の記録処理手段からなることを特徴とする。【０００９】また、本発明の無線通信端末は記憶処理手段に記憶されている画像情報の中から特定の画像情報を第一の表示手段に表示し、画像情報と対応付けされた識別情報を読み込む読み込み手段と、無線通信手段を介して無線タグから無線情報記憶素子に記録されている識別情報を取得し、取得された識別番号が読み込み手段に読み込まれた画像に対応付けられた識別情報と同一か否かを判定する第一の比較手段と、第一の比較手段により同一と判定された場合には一致したことを知らせる第一の一致報知手段を備えることを特徴とする。【００１０】また、本発明の無線通信端末は記憶処理手段に記憶されている画像情報の中から特定の画像情報を第一の表示手段に表示し、画像情報と対応付けされた識別情報を読み込む読み込み手段と、無線通信手段を介して無線情報記憶素子に記録されている識別情報を取得し、取得された識別番号が読み込み手段に読み込まれた画像に対応付けられた識別情報と同一か否かを判定する第一の比較手段と、第一の比較手段により同一と判定された場合には無線通信手段を介して一致した識別情報を持つ無線情報タグに一致を知らせる一致情報と一致した識別情報を送る第二の一致報知手段を持つことを特徴とする。【００１１】また、本発明の無線情報タグは無線情報記録素子を介して第二の一致報知手段から受け取った一致信号と一致した識別信号を受け、無線情報記録素子に記録された識別情報と一致した識別情報を比較する第二の比較手段と、第二の比較手段により同一と判断されかつ一致信号を受信している場合には一致したことを表示する第二の表示手段を持つことを特徴とする。
【発明の効果】
【００１２】本発明は電磁波を受信することにより記録されている識別情報を再生できる無線情報記録素子を備えた無線情報タグを物品に貼り付けるなどして添付し、デジタルカメラ及び無線情報記録素子と電磁波を介して識別情報などを送受信できる無線通信手段とを搭載した無線通信端末により、無線情報記録素子から取得した識別情報とデジタルカメラにより記録した画像情報との対応付けを行い、この対応つけられた情報を基に物品検索をすることにより、個人の生活における物品の格納場所などの管理を容易に行うことができる。
【発明を実施するための最良の形態】
【００１３】図１は本発明を適用したシステムに利用されるカメラ付き携帯端末の一例を示す図である。【００１４】図１のカメラ付き無線携帯端末１には、デジタルカメラ２とＲＦ−ＩＤタグに対して各種の情報を書き込み、読み込むことができるリーダライタ４が搭載されており、デジタルカメラで撮影された画像を第一の表示部３で確認することができる。【００１５】デジタルカメラ２の向きは回転することが可能であり、無線携帯端末１の背面へ回転することができ、画像を撮影しながら、撮影画像を第一の表示部３に表示することができる。【００１６】図２は個人の生活における物品管理の一例について、本発明を適用したシステムの構成を示す図である。【００１７】図に示す物品箱５には物品が入っており、また、ＲＦ−ＩＤタグ６をもった無線情報タグ７が貼り付けてある。物品箱５は物品収納家具８の上に積み上げられている。【００１８】無線携帯端末１には、そのデジタルカメラ２により撮影された物品の画像及び、物品が収められている物品箱５が置かれている物品収納家具８との関係を示した画像が格納され、また、それらの画像とその物品が収められている物品箱５に張られているＲＦ−ＩＤタグ６の識別情報とを関連付けた情報がデータベース化され、格納されている。【００１９】詳細な処理に関しては後述するが、ユーザは無線携帯端末１に搭載されたＲＦ−ＩＤリーダライタ４により取得されたＲＦ−ＩＤタグ６の識別情報を基に、無線携帯端末１に格納されているデータベースを検索し、第一の表示部にＲＦ−ＩＤタグ６の識別情報と関連付けられた画像データを表示することで、物品箱５に格納されている物品の情報を知ることができる。【００２０】ユーザは新しい物品箱５を登録する場合には、登録する物品箱５の中の物品の画像と、物品箱５が置かれている物品収納家具８との関係を示す画像を無線携帯端末１のデジタルカメラ２で撮影し、物品箱５に無線情報タグ７を貼り付けると同時に、ＲＦ−ＩＤタグ６の識別情報を取得し、これらを関係付けてデータベースに登録する。【００２１】無線携帯端末１はパーソナルコンピュータ９と図示せぬ無線ＬＡＮによって接続されており、無線携帯端末１のデータベースに新規に物品が登録される度に、登録されたデータベース情報をパーソナルコンピュータ９に送信し、パーソナルコンピュータ９は無線携帯端末１が持つデータベースと同じ構造を持つデータベースを更新しながら格納する。【００２２】無線携帯端末１のメモリ内にあるデータベースは管理する物品数が増えるにしたがって大きくなるため、メモリが一杯になった場合には時間的に古い情報から消去する。【００２３】図３は無線情報タグ７の一構成例を示した図である。【００２４】無線情報タグ７は例えば、ＲＦ−ＩＤタグ６とＬＥＤ制御部７１とＬＥＤ７２からなり、物品箱５などに貼り付けることができるタグである。【００２５】ＲＦ−ＩＤタグ６は、例えば、図に示すアンテナ６１、及びコンデンサ６２とそれ以外の構成が１チップに格納されたＩＣから構成され、電磁誘導を利用してＲＦ−ＩＤリーダライタ４と各種のデータを半２重通信する。【００２６】ＣＰＵ６６は、ＲＯＭ６７に格納されているＲＦ−ＩＤタグ制御プログラムをＲＡＭ６８に展開し、ＲＦ−ＩＤタグ６の全体の動作を制御する。例えば、ＣＰＵ６６はＲＦ−ＩＤリーダライタ４から輻射されている電磁波をアンテナ６１が受信した場合、受信データに含まれるコマンド応じて、例えば設定されている識別情報をＲＦ−ＩＤリーダライタ４に通知したり、Ｉ／Ｏポート６９を介してＬＥＤを点灯したりする。【００２７】アンテナ６１とコンデンサ６２により構成されるＬＣ回路は、ＲＦ−ＩＤリーダライタ４から輻射される所定の周波数の電磁波に共振する共振回路となっている。【００２８】インターフェイス部６３は、例えば図示せぬＡＳＫ（Ａｍｐｌｉｔｕｄｅ  Ｓｈｉｆｔ  Ｋｅｙｉｎｇ）変調部、ＡＳＫ復調部、発振回路、電圧レギュレータなどから構成され、アンテナ６１に励起された交流磁界を整流し、安定化した後、各部に直流電源として供給する機能と、データ送信部６５から供給された識別情報などのデータを変調し、アンテナ６１介してＲＦ−ＩＤリーダライタ４へ送る機能と、ＲＦ−ＩＤリーダライタ４から輻射される電磁波を通して送られてきた変調されたデータを復調しデータ受信部６４に送る機能を持つ。【００２９】ＣＰＵ６６はデータ受信部を介してＲＦ−ＩＤリーダライタ４から送られてきたデータを受け取り、このデータに含まれるコマンドとして、例えば、識別情報とその識別情報がＲＦ−ＩＤタグ６に設定されている識別情報と一致するか否かを判定せよとのコマンドが含まれる場合、設定されている識別情報と受信した識別情報を比較し、一致する場合にはＩ／Ｏポート６９を介してＬＥＤ制御部７１に信号を送り、ＬＥＤ７２をあらかじめ決めた時間ＯＮにし、点灯する。この時間は、例えば１０秒などが設定される。【００３０】図４は無線携帯端末１の一構成例を示した図である。【００３１】無線携帯端末１はＣＰＵ１１、電源回路部１２、ＲＡＭ１１１、ＲＯＭ１１２、操作入力制御部１２０、操作キー１２１、画像エンコーダ１３０、画像デコーダ１３１画像デコーダ、カメラＩ／Ｆ部１４０、ＣＣＤカメラ１４１、ＬＣＤ制御部１５０、ＬＣＤ１５１、赤外線通信部１６１、無線ＬＡＮモジュール１６２、パラレルＩ／Ｏポート１６３、シリアルＩ／Ｏポート１６４からなり、ＣＰＵ１１と、ＲＡＭ１１１上に展開されたＲＯＭ１１２に格納されている制御プログラムによりその全体の動作が制御される。【００３２】ＣＣＤカメラ１４１で撮影された画像はカメラＩ／Ｆ部１４０を介して画像エンコーダ１３０に渡されると同時に、ＬＣＤ制御部１５０を通してＬＣＤ１５１に表示される。画像エンコーダ１３０ではＪＰＥＧ等の画像圧縮処理が行なわれ、圧縮された画像はＲＡＭ１１１に格納される。【００３３】ＲＡＭ１１１に格納されている画像を表示する場合はＣＰＵ１１はＲＡＭ１１１から画像データを読み出し、これを画像デコーダ１３１に渡し、画像の伸張処理後、ＬＣＤ制御部１５０を介してＬＣＤ１５１に表示する。【００３４】ＲＦ−ＩＤリーダライタ４はシリアルポート１６４を介して無線携帯端末１に接続され、電磁波を介して読み取ったＲＦ−ＩＤタグ６の持つ識別番号をＣＰＵ１１に送り、ＣＰＵ１１はＲＡＭ１１１に展開されているデータベース化プログラムによりＣＣＤカメラ１４１で撮影した画像と��別情報とを関係付け、データベース化し、データベースをＲＡＭ１１１に格納する。また、ＣＰＵ１１はＲＦ−ＩＤリーダライタ４へ制御信号をシリアルＩ／Ｏポート１６４を介して送る。【００３５】ＲＡＭ１１１に格納されたデータベースのレコードは無線ＬＡＮモジュール１６２を介してパーソナルコンピュータ９へ送られ、パーソナルコンピュータ９内のデータベースが更新される。【００３６】ユーザは操作キー１２１によりデータベース化のためのキーワード設定や、画像検索用に画像をスクロールする指示を行い、ＣＰＵ１１はキー操作に従って起動するプログラムを制御する。【００３７】赤外線通信部１６１やパラレルＩ／Ｏポート１６３は無線系端末１が図示せぬ他の端末や周辺機器と接続される場合に利用される。【００３８】図５はＲＦ−ＩＤリーダライタ４の一構成例を示す図である。【００３９】ＩＣ４５はＣＰＵ４９、ＲＡＭ４６、ＲＯＭ４７、信号処理ユニット４８、およびシリアルポート５０から構成されている。【００４０】ＣＰＵ４９はＲＯＭ４７に格納されている制御プログラムをＲＡＭ４６に展開し、ＲＦ−ＩＤタグ６から送信されてきた識別情報などのデータや図４のＣＰＵ１１からシリアルポート５０を介して送られてきた制御信号などに基づき各種処理の制御を行う。【００４１】信号処理ユニット４８はＲＦ−ＩＤタグ６からの応答データが復調部４２から供給されると、そのデータに対してデコード処理（例えば、マンチェスターコードのデコードなど）を施し、取得したデータをＣＰＵ４９に送る。また、信号処理ユニット４８はＲＦ−ＩＤタグ６に送るコマンドやデータなどがＣＰＵ４９から送られてきた場合、そのコマンドやデーをエンコード処理（例えば、マンチェスターコードのエンコードなど）し、変調部に結果を送る。【００４２】シリアルＩ／Ｏポート５０は無線携帯端末１とコマンドやデータ及び制御信号の送受信を行うためのインターフェイスである。【００４３】変調部４２は発振回路４４から供給される所定の周波数の搬送波を、信号処理ユニット４８から送られたデータに基づいて変調し、生成された変調波を電磁波としてアンテナ４１から出力する。一方、復調部４２はアンテナ４１を介して取得した変調波を復調し、復調されたデータを信号処理ユニット４８に送る。【００４４】次に図２に示したシステムの動作について説明する。【００４５】図６は無線情報タグ７の登録処理を実施するプログラムの一例を示したフローチャートである。このフローチャートを参照して、無線情報タグ７と無線携帯端末１のカメラで撮影した画像を関係付け、データベース化するデータ管理プログラムの処理について説明する。【００４６】ユーザは図２に示したシステムを利用する場合、例えば、新たに貼り付けた無線情報タグ７にあるＲＦ−ＩＤタグ６が持つ識別情報と、ＣＣＤカメラ１４１により撮影した画像とを対応付けて登録することが必要となる。【００４７】無線携帯端末１上にある物品管理登録プログラムを起動すると、登録処理の実行を確認する画面がＬＣＤ１５１に表示され、ユーザのキー操作により、Ｙｅｓが選択されるとＲＦ−ＩＤリーダライタ処理プログラムが起動される。【００４８】次に、ＲＦ−ＩＤタグ６の識別情報��ＲＦ−ＩＤリーダライタ４を介して取得し、取得が完了したことをＬＣＤ１５１に表示する。その後、ＣＣＤカメラ１４１による画像入力をユーザに要求する。【００４９】ユーザはＣＣＤカメラ１４１により、登録する物品あるいは、物品が設置されている全体背景を含めた画像など一つあるいは複数の画像を撮影する。この処理は、一つの画像の撮影が終わる毎に、追加画像があるか否かをユーザ指示入力により判定し行う。【００５０】画像入力が終了すると、キーワード入力をするか否かをユーザに確認し、キーワード入力をする場合は、ユーザはキー操作によりキーワード入力を行う。この処理を通して、無線携帯端末１のＲＡＭ１１１上には例えば、図７に示されたようなテーブルが作成され、登録完了の通知がなされる。【００５１】図７の対応テーブルには、登録レコード番号毎に、識別情報、キーワード、画像番号が対応付けられている。また、画像情報は例えば、画像番号毎に画像ファイルとしてＲＡＭ１１１上に格納される。【００５２】図７の対応テーブルと画像ファイルは無線ＬＡＮモジュール１６２を介して、パーソナルコンピュータ９に送られ、画像登録毎に無線携帯端末１及びパーソナルコンピュータ９内の対応テーブルは更新されると同時に、画像ファイルが追加される。【００５３】図８は無線携帯端末１に格納されている対応テーブルと画像情報から、物品のあり場所を提示する探し物表示処理を実施するプログラムの一例を示したフローチャートである。【００５４】探し物表示プログラムを起動すると、実行確認がＬＣＤ１５１に表示され、ユーザがＹｅｓを選択すると、検索処理が開始される。検索処理には、例えば、キーワードによる検索、近傍のＲＦ−ＩＤタグ６を読むことによる近傍空間検索及び、登録画像をブラウジングすることによる検索がある。【００５５】キーワード検索が選択されると、ユーザはキーワードを入力する。入力されたキーワードを基に、図７に示したテーブルを参照し、対応する画像をＬＣＤ１５１に表示する。ＲＡＭ１１１の容量の制限で、画像データがＲＡＭ１１１にない場合は、無線ＬＡＮモジュール１６２を介してパーソナルコンピュータ９から画像を転送し、ＬＣＤ１５１に表示する。【００５６】キーワード検索、近傍空間検索が選択されなかった場合は、ＬＣＤ１５１に登録されている全画像について画像のブラウジングを行うと同時に画像の特定を行う。ＲＡＭ１１１の容量の制限で、画像データがＲＡＭ１１１にない場合は、無線ＬＡＮモジュール１６２を介してパーソナルコンピュータ９から画像を転送し、ＬＣＤ１５１に表示する。【００５７】画像が特定されると、ＲＦ−ＩＤリーダライタ４により無線到達範囲内にあるＲＦ−ＩＤタグ６の識別情報が読み込まれる。読み込まれた識別情報は図７のテーブルを参照し、特定された画像に対応付けられた識別情報と一致するか否かが判定され、対応つけられた識別情報に一致する場合にはＬＣＤ１５１に「近くにあります」との表示がされる。一致しない場合は「近くにありません」と表示される。【００５８】「近くにありません」と表示された場合には、その後、再検索をユーザに確認し、再検索をしない場合にはプログラムを終了する。【００５９】近傍空間検索が選��されると、ＲＦ−ＩＤリーダライタ４により無線到達範囲内にあるＲＦ−ＩＤタグ６の識別情報が読み込まれ、図７のテーブルを参照し、読み込まれた識別情報から対応付けされた画像をＬＣＤ１５１に表示する。複数の画像が対応つけられている場合は、画像をブラウジングする。ＲＡＭ１１１の容量の制限で、画像データがＲＡＭ１１１にない場合は、無線ＬＡＮモジュール１６２を介してパーソナルコンピュータ９から画像を転送し、ＬＣＤ１５１に表示することが行われる。【００６０】「近くにあります」と表示された場合、及び、近傍検索により画像表示された場合は、ＬＣＤ１５１には画像で示された物品のある場所をポインティング（画像ポインティングと呼ぶ）するか否かをユーザに確認する画面が表示される。【００６１】ユーザが、画像ポインティングを要求した場合は、ＲＦ−ＩＤリーダライタ４を介して、画像と対応つけられた識別情報とその識別情報がＲＦ−ＩＤタグ６に設定されている識別情報と一致するか否かを判定せよとのコマンドをＲＦ−ＩＤリーダライタ４に接続されたアンテナ４１から電磁波を輻射することで無線情報タグ７に送る。【００６２】その後、無線情報タグ７からの受信確認を待ち、受信が確認されると、再検索をユーザに確認し、再検索をしない場合はプログラムを終了する。【００６３】無線情報タグ７は既に説明したように、ＲＦ−ＩＤリーダライタ４から送られてきたデータに含まれるコマンドとして識別情報とその識別情報がＲＦ−ＩＤタグ６に設定されている識別情報と一致するか否かを判定せよとのコマンドが含まれる場合、設定されている識別情報と受信した識別情報を比較し、一致する場合にはＩ／Ｏポート６９を介してＬＥＤ制御部７１に信号を送り、ＬＥＤ７２をあらかじめ決めた時間ＯＮにし点灯することで、ユーザに物品のある場所を表示する。この時間は、例えば１０秒などが設定される。【００６４】以上においては、ＲＦ−ＩＤタグ６は自身で電源を持たないパッシブ型のＲＦ−ＩＤタグとしたが、電池を内蔵したアクティブ型のＲＦ−ＩＤタグであっても本発明は適用することができる。さらには、無線携帯端末１とパーソナルコンピュータとの通信は無線ＬＡＮ１モジュール１６２を介して行う場合について説明したが、ブルートゥースや赤外線通信を介しても本発明は適応できる。
【図面の簡単な説明】
【００６５】
【図１】本発明を適用したシステムに利用されるカメラ付き携帯端末１例を示す図である。
【図２】個人の生活における物品管理の一例について、本発明を適用したシステムの構成を示す図である。
【図３】無線情報タグ７の一構成例を示した図である。
【図４】無線携帯端末１の一構成例を示した図である。
【図５】ＲＦ−ＩＤリーダライタ４の一構成例を示す図である。
【図６】無線情報タグ７の登録処理を実施するプログラムの一例を示したフローチャートである。
【図７】対応テーブルを示す図である。
【図８】探し物表示処理を実施するプログラムの一例を示したフローチャートである。
【符号の説明】
【００６６】１  無線携帯端末            ２  デジタルカメラ        ３  第一の表示部
４  ＲＦ−ＩＤリーダライタ  ５  物品箱                ６  ＲＦ−ＩＤタグ
７  無線情報タグ            ８  物品収納家具          ９  パーソナルコンピュータ
１１  ＣＰＵ                １２  電源回路部          ４１  アンテナ
４２  復調部                ４３  変調部              ４４  発振回路
４５  ＩＣ                  ４６  ＲＡＭ              ４７  ＲＯＭ
４８  信号処理ユニット      ４９  ＣＰＵ              ５０  シリアルＩ／Ｏポート
６１  アンテナ              ６２  コンデンサ          ６３  インターフェイス部
６４  データ受信部          ６５  データ送信部        ６６  ＣＰＵ
６７  ＲＯＭ                ６８  ＲＡＭ              ６９  Ｉ／Ｏポート
７１  ＬＥＤ制御部          ７２  ＬＥＤ              １１１  ＲＡＭ
１１２  ＲＯＭ              １２０  操作入力制御部    １２１  操作キー
１３０  画像エンニーダ      １３１  画像デコーダ      １４０  カメラＩ／Ｆ部
１４１  ＣＣＤカメラ        １５０  ＬＣＤ制御部      １５１  ＬＣＤ
１６１  赤外線通信部  １６２  無線ＬＡＮモジュール  １６３  パラレルＩ／Ｏポート
１６４  シリアルＩ／Ｏポート
【図１】
2006228178.tif 000003
【図２】
2006228178.tif 000004
【図３】
2006228178.tif 000005
【図４】
2006228178.tif 000006
【図５】
2006228178.tif 000007
【図６】
2006228178.tif 000008
【図７】
2006228178.tif 000009
【図８】
2006228178.tif 000010